(57)【要約】      （修正有）【課題】ユーザが清掃すべき表面を手動で掃くことを可能にし、またその表面から吸引によりごみを内部コンパートメントに吸い込むことも可能にする清掃装置を提供する。【解決手段】清掃装置１０は、ハンドル１２と、装置のユーザによって第１の位置および第２の位置の間で移動可能な作動機構と、一端に吸引口を備える中空部材２１と、吸引口において吸引を発生させるよう構成された電動モータと、中空部材に対して枢動可能な剛毛支持部材２８を含みうる。剛毛支持部材は、取り付けられた複数の剛毛３０を含みうる。剛毛支持部材は、作動機構に動作可能に結合されうる。作動機構が第１の位置にあるときは、剛毛支持部材は、中空部材の吸引口に隣接した閉位置にあり、複数の剛毛が掃き掃除機能を実行するように位置決めされる。作動機構が前記第２の位置に移動したときは、剛毛支持部材は、中空部材の吸引口から離れるように開位置へと枢動し、吸引口への進入路を提供する。【選択図】図１
0003170819.tif 000002
【実用新案登録請求の範囲】
【請求項１】
清掃装置であって、
ハンドルと、
前記装置のユーザによって第１の位置および第２の位置の間で移動可能な作動機構と、
一端に吸引口を備える中空部材と、
前記吸引口において吸引を発生させるよう構成された電動モータと、
前記中空部材に対して枢動可能な剛毛支持部材であり、取り付けられた複数の剛毛を含む剛毛支持部材と、を備え、
前記剛毛支持部材は、前記作動機構に動作可能に結合され、それにより、前記作動機構が前記第１の位置にあるときは、前記剛毛支持部材は、前記中空部材の前記吸引口に隣接した閉位置にあり、前記複数の剛毛が掃き掃除機能を実行するように位置決めされ、かつ、前記作動機構が前記第２の位置に移動したときは、前記剛毛支持部材は、前記中空部材の前記吸引口から離れるように開位置へと枢動し、前記吸引口への進入路を提供する、
清掃装置。
【請求項２】
フレーム部材をさらに含み、前記中空部材および前記フレーム部材は互いに移動可能に配置され、前記中空部材および前記フレーム部材のうちの１つが前記ハンドルの一端に接続され、前記中空部材および前記フレーム部材のうちの他方が前記作動機構に結合され、それにより、前記作動機構が前記第１の位置にあるとき、前記中空部材は前記フレーム部材に対して後退した位置にあり、かつ、前記作動機構が前記第２の位置にあるとき、前記中空部材は前記フレーム部材に対して伸張した位置にある、請求項１に記載の清掃装置。
【請求項３】
前記ハンドルに対して移動可能であり、かつ第１の端部と第２の端部とを有する連結部材をさらに含み、前記第１の端部が前記作動機構に結合され、前記第２の端部が前記中空部材および前記フレーム部材のうちの前記他方に接続される、請求項２に記載の清掃装置。
【請求項４】
前記ハンドルが中空軸を備え、前記連結部材が前記ハンドル内に移動可能に配置される剛性軸を備える、請求項３に記載の清掃装置。
【請求項５】
前記作動機構が、バイオネット接続によって前記ハンドル上にスライド可能かつ回転可能に配置される把持可能なスリーブを備える、請求項４に記載の清掃装置。
【請求項６】
前記把持可能なスリーブが前記ハンドルの前記中空軸のスロットを介して前記連結部材に接続され、前記把持可能なスリーブが前記第１および第２の位置においてロック可能である、請求項５に記載の清掃装置。
【請求項７】
第１の方向に前記スリーブを回転させること、前記スリーブを前記フレーム部材に向かってまたは前記フレーム部材から離れるように直線的にスライドさせること、および、前記第１の方向とは逆方向の第２の方向に前記スリーブを回転させることによって、前記把持可能なスリーブが、前記第１の位置から前記第２の位置へと移動可能である、請求項６に記載の清掃装置。
【請求項８】
前記フレーム部材に対する前記中空部材の移動が、前記剛毛支持部材を前記閉位置と前記開位置との間で枢動させる、請求項２に記載の清掃装置。
【請求項９】
前記作動機構が前記第１の位置にあり、前記中空部材が前記フレーム部材に対して前記後退した位置にあるとき、前記モータはオフであり、前記作動機構が前記第２の位置に移動し、前記剛毛支持部材が前記開位置に移動したとき、前記モータは自動的にオンになる、請求項２に記載の清掃装置。
【請求項１０】
前記中空部材および前記フレーム部材が互いに対して移動するときに前記モータをオンおよびオフにするために前記中空部材上に配置されたスイッチをさらに含む、請求項２に記載の清掃装置。
【請求項１１】
前記フレーム部材が、ハウジングを備え、前記剛毛支持部材が、前記ハウジングの各側面にある第１の直線スロットを通過する第１のピンによって前記中空部材に枢動可能に結合され、かつ、前記剛毛支持部材が、前記第１のピンからはずれた位置にあり、かつ前記ハウジングの各側面に配置される第２のピンを受ける第２の直線スロットを含み、それにより、前記中空部材が前記後退した位置から前記伸張した位置に移動するとき、前記第２のピンが前記第２の直線スロット内をスライドすると、前記剛毛支持部材は前記第１のピンを中心とし枢動する、請求項２に記載の清掃装置。
【請求項１２】
前記剛毛支持部材に移動可能に装着される着脱可能ベース部材をさらに含み、前記着脱可能ベース部材は、前記複数の剛毛が永久的に取り付けられた本体を含む、請求項１に記載の清掃装置。
【請求項１３】
前記剛毛支持部材に脱着可能に装着されるよう構成され、かつ複数の追加的な剛毛が永久的に取り付けられた本体を含む追加的な着脱可能ベース部材をさらに含み、前記追加的な着脱可能ベース部材が、前記着脱可能ベース部材と交換されるように構成され、かつ、前記複数の追加的な剛毛が前記複数の剛毛とは構造的に異なる、請求項１２に記載の清掃装置。
【請求項１４】
前記中空部材が、前記モータにより前記吸引口を介して吸引されたごみを含むよう構成された内部コンパートメントを画定し、かつ、前記中空部材の壁が前記内部コンパートメントへの進入路を提供するヒンジ付きのパネルを備える、請求項１に記載の清掃装置。
【請求項１５】
前記内部コンパートメント内に配置された、取り外し可能なフィルター要素をさらに備える、請求項１４に記載の清掃装置。
【請求項１６】
前記作動機構は前記ハンドルに配置される、請求項１に記載の清掃装置。
【請求項１７】
前記作動装置が、バイオネット接続により前記ハンドルにスライド可能かつ回転可能に配置された把持可能なスリーブを備える、請求項１に記載の清掃装置。
【請求項１８】
前記吸引口に隣接する前記中空部材の壁に取り付けられた可撓性素材のストリップをさらに備え、前記可撓性素材のストリップが清掃されるべき表面上のごみを前記吸引口に向かって誘導するよう成形される、請求項１に記載の清掃装置。
【請求項１９】
清掃装置であって、
ハンドルと、
前記装置のユーザによって第１の位置および第２の位置の間で移動可能な作動機構と、
フレーム部材と、
前記フレーム部材に対して移動可能に配置された中空部材であり、一端において画定される吸引口を備える中空部材と、
前記吸引口において吸引を発生させるよう構成された電動モータと、
前記中空部材に対して枢動可能な剛毛支持部材であり、取り付けられた複数の剛毛を含む剛毛支持部材と、を備え、
前記中空部材および前記フレーム部材のうちの１つが前記ハンドルの一端に接続され、前記中空部材および前記フレーム部材のうちの他方が前記作動機構に結合され、それにより、前記作動機構が前記第１の位置にあるときは、前記中空部材は、前記フレーム部材に対して後退した位置にあり、かつ、前記作動機構が前記第２の位置にあるときは、前記中空部材は前記フレーム部材に対して伸張した位置にあり、
前記作動機構が前記第１の位置にあるときは、前記剛毛支持部材は前記中空部材の前記吸引口に隣接した閉位置にあり、前記複数の剛毛は掃き掃除機能を実行するように位置決めされ、かつ、前記作動機構が前記第２の位置に移動したときは、前記剛毛支持部材は、前記中空部材の前記吸引口から離れるように開位置へと枢動し、前記吸引口への進入路を提供する、
清掃装置。
【請求項２０】
表面上のごみを掃くための手段と、
前記表面からごみを取り除くため吸引を発生させるための手段と、
前記表面から取り除かれたごみを受け取りかつ保持するための手段と、
前記吸引発生手段に前記表面からごみを取り除かせるために、前記掃き手段の少なくとも一部を、前記受け取りおよび保持手段に対して枢動させるための手段と、
前記枢動手段および前記吸引発生手段を作動させるための手段と、を備える、
清掃装置。
【考案の詳細な説明】
【技術分野】
【０００１】
本考案は、清掃装置に関し、特に、ユーザが、清掃すべき表面を手動で掃くことを可能にし、またその表面から吸引によりごみを内部コンパートメントに吸い込むことも可能にする清掃装置に関する。
［関連分野］
【０００２】
[0002]  家庭およびオフィスの清掃は、これをより簡単かつ効率的に行うのを助けるための膨大な数の製品があるにも係わらず、骨の折れる日常的な仕事となりえる。床面を清掃するために利用可能な装置について、より一般的な家庭用装置としては、箒、モップ、電気ちりとりおよび真空掃除機（例えば、手持ち式または直立式真空掃除機）などが含まれる。例えば、真空掃除機は電池式であるかまたは電源供給コードを有しうる。再充電可能または再充電不能であってよい電池式真空掃除機システムでは、ユーザは、真空掃除機をかける領域の周辺に使用可能な電気コンセントがあるかどうかを心配することなく真空掃除機をかけることを可能にする。
【０００３】
[0003]  多種多様な直立式および手持ち式真空掃除機、並びに電気ちりとりが利用可能であるにもかかわらず、経済的、実用的、かつユーザが操作しやすい改良された清掃装置が必要とされている。
【考案の概要】
【０００４】
[0004]  本考案の１つの実施形態は、清掃装置を提供する。この清掃装置は、ハンドルと、この装置のユーザによって第１の位置と第２の位置との間で移動可能な作動機構と、一端に吸引口を有する中空部材と、吸引口で吸引を発生するよう構成された電動モータと、中空部材に対して枢動可能な剛毛支持部材と、を含みうる。この剛毛支持部材は、取り付けられた複数の剛毛を含みうる。剛毛支持部材は、作動機構に動作可能に結合されうる。作動機構が第１の位置にあるときは、剛毛支持部材は、中空部材の吸引口に隣接した閉位置にあり、かつ複数の剛毛は、掃き掃除機能を実行するよう位置決めされうる。作動機構が第２の位置に移動したときは、剛毛支持部材は、中空部材の吸引口から離れるように開位置へと枢動し、吸引口への進入路を提供する。
【０００５】
[0005]  本考案の１つの実施形態では、清掃装置は、ハンドルと、この装置のユーザによって第１の位置と第２の位置との間で移動可能な作動機構と、を含みうる。清掃装置はまた、フレーム部材と、フレーム部材に対して移動可能に配置された中空部材であり、一端において画定される吸引口を有する中空部材と、を含みうる。電動モータは、吸引口で吸引を発生するよう構成されうる。中空部材およびフレーム部材のうちの１つが、ハンドルの一端に接続され、中空部材およびフレーム部材のうちの他方は、作動機構に結合されうる。作動機構が第１の位置にあるときは、中空部材は、フレーム部材に対して後退した位置にありうる。作動機構が第２の位置にあるときは、中空部材は、フレーム部材に対して伸張した位置にありうる。清掃装置はさらに、中空部材に対して枢動可能な剛毛支持部材であり、取り付けられた複数の剛毛を含む剛毛支持部材を含みうる。作動機構が第１の位置にあるときは、剛毛支持部材は、中空部材の吸引口に隣接した閉位置にあり、かつ複数の剛毛は、掃き掃除機能を実行するよう位置決めされうる。作動機構が第２の位置に移動したときは、剛毛支持部材は、中空部材の吸引口から離れるように開位置へと枢動し、吸引口への進入路を提供する。
【０００６】
[0006]  本考案の１つの実施形態では、清掃装置は、表面上のごみを掃くための手段と、その表面からごみを取り除くため吸引を発生させるための手段と、表面から取り除かれたごみを受け取りかつ保持するための手段と、吸引発生手段に表面からごみを取り除かせるために、掃き掃除手段の少なくとも一部を、受け取りおよび保持手段に対して枢動させるための手段と、枢動手段および吸引発生手段を作動させるための手段と、を備える。
【０００７】
[0007]  本考案のさらなる特徴および利点、並びに本考案の多様な実施形態の構造および動作が、添付の図面を参照して以下に詳述される。この考案の概要は、特定の概念を導入するためのみに提供されており、クレームされた主題の主要なまたは本質的な特徴を特定するものでない。
【図面の簡単な説明】
【０００８】
[0008]  本考案の上述および他の特徴および利点は、添付の図面に示すような本考案の実施形態の以下のより詳細な記述によって明らかとなろう。添付の図面において、同様の符号は、通常、同一の要素、機能的に類似の要素および／または構造的に類似の要素を示す。別段の指示がない限り、添付の図面の図は縮尺通りでない。
【０００９】
【図１】[0009]  図１は、本考案の実施形態に従う、「掃き掃除モード」にある清掃装置の正面図である。
【図２】[0010]  図２は、「吸引モード」にある図１の清掃装置の部分正面図である。
【図３】[0011]  図３は、「吸引モード」にある図１および図２の清掃装置の部分斜視図である。
【図４】[0012]  図４は、「掃き掃除モード」にある図１〜３の清掃装置の部分正面図を示し、吸引モータと、このモータをオンおよびオフにするスイッチとを示す図である。
【図５】[0013]  図５は、「吸引モード」にある図１〜４の清掃装置の部分正面図を示し、吸引モータと、このモータをオンおよびオフにするスイッチを示す図である。
【図６】[0014]  図６は、図１の清掃装置のハンドルにある作動機構の把持可能なスリーブの部分側面図である。
【図７】[0015]  図７は、図１および図２の清掃装置の部分斜視図であり、掛け金およびヒンジ付きのダストカップドアを有する中空部材を含む。
【図８】[0015]  図８は、図１および図２の清掃装置の部分斜視図であり、掛け金およびヒンジ付きのダストカップドアを有する中空部材を含む。
【図９】[0016]  図９は、図７の清掃装置の部分斜視図であり、掛け金およびヒンジ付きのダストカップドアが開いた状態で中空部材の内部ダストカップコンパートメントが示されている。
【図１０】[0016]  図１０は、図７の清掃装置の部分斜視図であり、掛け金およびヒンジ付きのダストカップドアが開いた状態で中空部材の内部ダストカップコンパートメントが示されている。
【図１１】[0017]  図１１は、本考案の実施形態に従う「掃き掃除モード」にある清掃装置の部分斜視図であり、枢動可能な剛毛支持部材から分離した状態の着脱可能ベース部材であって、剛毛が取り付けられたベース部材を示す。
【図１２】[0018]  図１２は、「掃き掃除モード」にある図１１の清掃装置の部分斜視図であり、枢動可能な剛毛支持部材に取り付けた状態の着脱可能ベース部材を示す。
【図１３】[0019]  図１３は、本考案の別の実施形態に従う「掃き掃除モード」にある清掃装置の正面図である。
【図１４】[0020]  図１４は、「掃き掃除モード」にある図１３の清掃装置の部分正面図である。
【図１５】[0021]  図１５は、「掃き掃除モード」にある図１３の清掃装置の部分断面側面図である。
【図１６】[0022]  図１６は、「吸引モード」にある図１３〜１５の清掃装置の部分断面側面図である。
【図１７】[0023]  図１７は、「吸引モード」と「掃き掃除モード」との移行途中である図１３〜１６の清掃装置の部分断面側面図である。
【図１８ａ】[0024]  図１８ａは、「掃き掃除モード」および「吸引モード」にある図１３の清掃装置の斜視図であり、１つのモードから他方のモードへの移行を行う作動機構の把持可能なスリーブの移動も示す。
【図１８ｂ】[0024]  図１８ｂは、「掃き掃除モード」および「吸引モード」にある図１３の清掃装置の斜視図であり、１つのモードから他方のモードへの移行を行う作動機構の把持可能なスリーブの移動も示す。
【考案を実施するための形態】
【００１０】
[0025]  本考案の多様な実施形態が本明細書において記載される。特定の実施形態が記載され、特定の用語は明確性を目的として使用される。しかし、本考案はそのように選択された特定の用語に限定されることを意図しておらず、説明のみを目的としてそのような選択がなされているものと理解されるべきである。当業者においては、他の構成要素および構成が本考案の精神および範囲を逸脱することなく使用できることが理解されよう。特定の要素はそれぞれ、同様の態様で動作し同様の目的を達成する全ての技術的な均等物を含む。
【００１１】
[0026]  本考案のいくつかの実施形態の以下の記載において、例えば、「上(top)」、「底(bottom)」、「左(left)」、「右(right)」、「上方に(upwardly)」、「下方に(downwardly)」、「時計回りに(clockwise)」、「反時計回りに(counter-clockwise)」といった方向を表す語は、説明を目的として使用されており、図面において示されるとおりの本装置およびその多様な構成要素の向きに限定するものでない。
【００１２】
[0027]  図１は、本考案の一実施形態に従う「掃き掃除モード」にある清掃装置１０の正面図を示す。清掃装置１０は、例えば、ハンドル部１２およびベース部１４を含み、例えば、掃き掃除と吸引（ごみ除去）の少なくとも２つの機能を実行するよう構成されうる。図２は、例えば、「吸引モード」にある清掃装置１０の部分正面図を示す。
【００１３】
[0028]  図１に示すとおり、ハンドル部１２は、例えば、ユーザ（図示せず）が保持または把持しうる細長い管で画定されるハンドル１６を含みうる。ハンドル部１２は、例えば把持可能なスリーブ１８および細長ロッド１９（図２を参照）からなるがこれらに限定されない作動機構を含みうる。作動機構の把持可能なスリーブ１８は、ハンドル１６を中心として移動可能に配置することができ、ユーザによって手動で第１の位置と第２の位置との間で移動することができる。例えば、レバーあるいは任意のタイプのスライド式またはツイスト式の把持可能な突起具といった他の均等な機械的構造をスリーブ１８の代わりに使用してもよい。把持可能なスリーブ１８は、図６を参照して以下に詳細に記載される。細長ロッド１９（図２および図６を参照）は、把持可能なスリーブ１８に結合されることができ、ハンドル１６の管内でベース部１４に向かって延在しうる。
【００１４】
[0029]  ベース部１４は、例えば下方に延在する一対の脚２２ａ、２２ｂを有するフレーム部材２０を含みうる。上部２４および下部２６によって画定される内部ハウジングまたは中空部材２１は、脚２２ａと脚２２ｂとの間に移動可能またはスライド可能に配置されうる。剛毛３０を有する剛毛支持部材２８は、フレーム部材２０の脚２２ａ、２２ｂおよび／または中空部材２１の下部２６に枢動可能に装着されうる。当業者が理解するとおり、図１に示す清掃装置１０のユーザは表面を掃くために本装置を使用することができる。
【００１５】
[0030]  図２は、本考案の一実施形態に従う「吸引モード」にある清掃装置１０のベース部１４の拡大した部分正面図である。図２に示すとおり、ハンドル１６は、永久接続（例えば、接着、溶接、一体成形など）または取り外し可能な接続（例えば、ネジ式、スナップ式、バイオネット、締め具、止めネジなど）によって、Ｃでフレーム部材２０に剛結合されうる。作動機構の細長ロッド１９は、ハンドル１６およびフレーム部材２０を通って自由に伸張可能であり、中空部材２１の上部２４と結合しうる。中空部材２１は、フレーム部材２０の下方に延在する脚２２ａ、２２ｂの間にスライド可能に配置されうる。図２に示すとおり、フレーム部材２２の脚２２ａ、２２ｂは、１つ以上の第１の係合要素２３ａ、２５ａを含み、これらは１つ以上の第２の係合要素２３ｂ、２５ｂによって中空部材２１に係合されうる。清掃装置１０が図２に示す「吸引モード」にある場合、中空部材２１は、下方に伸張した位置にあり、剛毛３０を有する剛毛支持部材２８は枢動位置（すなわち、ページの後方に）にあり、それによって中空部材２１の下部２６の底面２９が露出する。中空部材２１の下部２６の内部コンパートメントへ進入するためのドアまたはパネル３２もまた見られる。
【００１６】
[0031]  図３は、「吸引モード」にある清掃装置１０のベース部１４の部分斜視図を示し、中空部材２１は伸張位置にあり、剛毛３０を有する剛毛支持部材２８は、中空部材２１の下部２６の底面２９から離れるように枢動され、この底面２９が露出している状態を示している。吸引口３４は、中空部材２１の下部２６の底面２９内に画定することができ、清掃されるべき面に置かれたごみをこの表面から取り除き、例えば、中空部材上部２４（図４および図５を参照）に配置された吸引（真空）装置（例えば、電気モータ）によって中空部材下部２６の内部に吸い込む。中空部材下部２６の底面２９はまた、壁部材３６も含み、これは、表面に置かれたごみを吸引口３４に向かって誘導するのを補助するために先細になっている。壁部材３６は、例えば、プラスチック、ゴム、発泡体または多数の小さな剛毛といった可撓性または剛性の素材から作られてよく、別個に製造され底面２９に固定されるか、またはこれに一体成形されてもよい。図３に示す実施形態にも示すとおり、剛毛支持部材２８は、清掃装置が「掃き掃除モード」に戻ったときに、脚２２ａ、２２ｂの端部における先細突起３９を受けるための先細凹所３８をその上面に含みうる。これにより、掃き掃除の際、支持および安定が提供されうる。
【００１７】
[0032]  図４および図５はそれぞれ、「掃き掃除モード」と「吸引モード」にある清掃装置１０の部分正面図を示す。図４によると、作動機構の細長部材１９は、中空部材上部２４に接続されうる。中空部材上部２４は、吸引モータ４０およびモータ４０をオン、オフするためのスイッチ４２（例えば、マイクロスイッチ）を含みうる。「掃き掃除モード」（図４）では、中空部材上部２４は、第１の位置に配置することができ、第１の位置では、モータ４０がオフになるようスイッチ４２がフレーム部材２０の底面に対して押下される。「吸引モード」（図５）では、中空部材上部２４は、フレーム部材２０から離れた第２の位置に移動することができ、それによりスイッチ４２が解除され、モータ４０はオンになり中空部材下部２６内で吸引を発生させる。
【００１８】
[0033]  図６は、図１の清掃装置１０のハンドル１６上の作動機構の把持可能なスリーブ１８の部分側面図を示す。図６に示される実施形態に示すとおり、把持可能なスリーブ１８は、ハンドル１６を中心としてスライド可能に配置される外部把持部および内部環状部を含みうる。スリーブ１８は、ハンドル１６内のスロット５２を横方向に通過しバイオネット接続を画定し、かつ細長ロッド１９の端部と結合されうるポスト５０の形態をとる接続部材を含みうる。スロット５２は、ハンドル１６の各側面上に画定され、例えばＣ型または逆Ｃ型を形成しうる。動作中、スリーブ１８は、ユーザ（図示せず）によって把持され、第１の位置から第１の方向に回転され、ハンドル１６に沿って縦方向に移動され、その後、第１の方向と反対の第２の方向に回転され、スリーブ１８を第２の位置に固定することができる（図１８ａおよび図１８ｂも参照）。
【００１９】
[0034]  図７および図８は、図１および図２の清掃装置１０の部分斜視図を示す。図７および図８では、ベース部１４の中空部材下部２６は、下部２６にヒンジで結合されるかまたは取り外し可能に結合されうるダストカップドア３２を含みうる。例えば、スライド可能なラッチ５４を利用してダストカップドア３２を定位置に固定することができる。例えば、ラッチ５４が上方に移動すると、図９および図１０に示すとおり、ダストカップドア３２が開き、中空部材下部２６の中空内部５８への進入路を提供することができる。図９および図１０に示すとおり、フィルター装置５６を、中空内部５８の最上部に取り外し可能に配置し、チャネル５９から吸い込まれたダストおよびごみが吸引モータ４０（図示せず、図４および図５を参照）に入るのを防ぐようにしてもよい。
【００２０】
[0035]  図１１および図１２は、本考案の別の実施形態に従う「掃き掃除モード」にある清掃装置１０のベース部１４の部分斜視図である。図１１および図１２に示すとおり、枢動可能な剛毛支持部材２８は、枢動支持部２８ａと、剛毛３０を有する着脱可能なベース部材２８ｂとの２つの部分を含みうる。図１１では、着脱可能ベース部材２８ｂが、枢動支持部２８ａから分離した状態を示す。着脱可能ベース部２８ｂは、枢動支持部２８ａへのスナップ式接続を可能にするよう構成されうる取り付け部材６０ａ、６０ｂを含みうる。着脱可能ベース部材２８ｂを枢動支持部２８ａに着脱可能に固定するための他の機構としては、例えば、締め具、ラッチ、戻り止め機構、さねはぎ接続、蟻継ぎ接続、および当業者が理解する他の均等物が含まれうる。いくつかの着脱可能なベース部材２８ｂを枢動支持部２８ａに接続するために設けてもよく、これらのそれぞれは、異なる掃き掃除作業のための異なる剛毛構造３０を有する。異なるベース部材２８ｂは、行う作業に応じて、より長い剛毛、より短い剛毛、異なる硬さおよび素材の剛毛、および／または異なる数および種類の剛毛を有してよい。
【００２１】
[0036]  図１３は、本考案の他の実施形態に従う「掃き掃除モード」にある清掃装置１００の正面図を示す。清掃装置１００のハンドル部１２は、図１〜図１２を参照して上述した清掃装置１０のハンドル部１２と実質的に類似しているので、さらなる詳述は省略する。ハンドル１６は、ベース部１１４に結合されうる。ベース部１１４は、外部ハウジング１２２を有するフレーム部材１２０を含みうる。内部ハウジングまたは中空部材１２１は、上部１２４および下部１２６を含みうる。中空部材１２１の上部１２４は、細長ロッド１９（図１４を参照）に結合されることができ、中空部材１２１は、作動機構の把持可能なスリーブ１８の移動が、中空部材１２１とフレーム部材１２０との間の相対移動を引き起こすように、外部ハウジング１２２内で移動可能に配置されうる。剛毛１３０を有する剛毛支持部材１２８は、中空部材１２１と外部ハウジング１２２との間の相対移動により、剛毛支持部材１２８が「掃き掃除モード」にある第１の位置と「吸引モード」にある第２の位置との間を枢動するように、外部ハウジング１２２および／または中空部材１２１の１つまたは両方に枢動可能に結合されることができる。
【００２２】
[0037]  図１４は、「掃き掃除モード」にある図１３の清掃装置１００のベース部１１４の部分正面図である。図１４に示すとおり、作動機構の細長ロッド１９は、ハンドル１６の中空内部を通ってフレーム部材１２０へ延在することができ、中空部材１２１の上部１２４の端部に結合されうる。電動（例えば、電池式の）吸引モータ１４０は、中空部材１２１の上部１２４内に配置されることができ、ユーザの作動機構の操作による中空部材１２１とフレーム部材１２０との間の相対移動に基づき、電源がオンおよびオフになるよう構成されうる。
【００２３】
[0038]  図１５は、「掃き掃除モード」と「吸引モード」との間の移行途中にある図１３の清掃装置１００のベース部１１４の部分断面側面図を示す。図１５では、例えば、ユーザが作動機構を操作し、細長ロッド１９および中空部材１２１（上部１２４および下部１２６を含む）を第１の位置（「掃き掃除モード」）から第２の位置（「吸引モード」）へとＦ１の方向へ移動させると、機械配置により、剛毛支持部材１２８が中空部材１２１の底および外部ハウジング１２２から離れるようにＦ２の方向に沿って枢動しうる。機械配置は、例えば、外部ハウジング１２２の側面にあるスロット１７０であって、中空部材下部１２６を剛毛支持部材１２８に結合するピン１７２（図１６〜図１７を参照）をスライド可能に受けうるスロット１７０を含みうるが、これに限定されない。ピン１７４は、スロット１７０からずれた位置で外部ハウジング１２２の側面に配置されうる。ピン１７４は、ピン１７２からずれた位置で剛毛支持部材１２８の壁において画定されるスロット１７６にスライド可能に受けられうる。
【００２４】
[0039]  図１６および図１７は、図１３〜図１５の清掃装置１００のベース部１１４の部分断面側面図であり、「掃き掃除モード」と「吸引モード」との間の移行を示す。動作中、中空部材下部１２６が作動機構（図示せず）によってＦ１方向に移動されると、中空部材下部１２６上のピン１７２は、外部ハウジング１２２のスロット１７０内を下方にスライドする。同時に、剛毛支持部材１２８のスロット１７６は、ピン１７４がスロット１７６の上端部に達するまで、ピン１７４に対して移動する。ピン１７２のＦ１方向への継続した移動により、剛毛支持部材がピン１７２を中心としたＦ２方向の回転を開始する。支持部材１２８の回転中、ピン１７４は、スロット１７６内をスライドする。中空部材下部１２６が最も下方の位置まで伸張し（例えば、ピン１７２がスロット１７０の最下端に達したとき）、かつ支持部材１２８がＦ２方向に沿って回転終了位置に枢動すると、吸引モータ１４０はオンになりうる。吸引モータ１４０がオンのとき、ダストおよび他のごみは、吸引によって、外部ハウジング１２２の底の開口１８０および中空部材下部１２６を通して、清掃されるべき表面から取り除かれる。清掃装置１００は、中空部材下部１２６を作動機構によってＦ３方向に移動させることにより「掃き掃除モード」に戻ることができる。中空部材下部１２６のＦ３方向への移動は、剛毛支持部材１２８を、開口１８０を覆う元の位置へと枢動させる。外部ハウジング１２２の底部１３９は、先細であってよく、剛毛支持部材１２８の上面において画定される先細凹所１３８に受けられうる。
【００２５】
[0040]  図１８ａおよび図１８ｂは、それぞれ「掃き掃除モード」（１００）および「吸引モード」（１００’）にある図１３の清掃装置の斜視図を示す。図１８ａおよび図１８ｂにはまた、１つのモードからもう一方のモードへの移行を可能にする作動機構の把持可能スリーブ１８の移動例も示す。図１８ａでは、例えば、清掃装置１００が、「掃き掃除モード」にある状態を示す。「掃き掃除モード」では、スリーブ１８は、第１の位置にあり、中空部材上部１２４および下部１２６は、外部ハウジング１２２の底に対して後退した位置にあり得る。モータ１４０は、「オフ」であり、ユーザがデバイス１００を使用して床または表面を従来の態様で掃くことができるように、剛毛支持部材１２８は、清掃装置１００の縦方向の延伸に対して実質的に整列されうる。掃き掃除が完了すると、および／または吸引（ごみ除去）が必要になると、ユーザは、作動機構を操作し、「吸引モード」にある清掃装置１００’へ移行させることができる（図１８ｂを参照）。
【００２６】
[0041]  清掃装置１００を「吸引モード」に移行するために、ユーザは、スリーブ１８を把持し、図１８ａに示される連続的な移動（Ａ、Ｂ、Ｃ）に従いスリーブ１８を移動させうる。第一に、スリーブ１８は、第１のロック位置からＡ方向にツイストされうる。第二に、スリーブ１８は、ハンドル１６に沿って縦方向の下方へとＢ方向に移動される。第三に、スリーブ１８は、Ｃ方向（Ａ方向とは逆方向）にツイストされ、スリーブ１８を第２の位置にロックする。スリーブ１８が第２の位置にあるとき、清掃装置１００’は、「吸引モード」にありうる。清掃装置１００’が、例えば図１８ｂに示されるとおり「吸引モード」にあるとき、中空部材上部１２４および下部１２６は、外部ハウジング１２２の底に対して伸張した位置にありうる。モータ１４０は、「オン」であり、剛毛支持部材１２８は、ユーザが装置１００’を使用して床または表面からごみを吸い取るまたは取り除くことができるように、外部ハウジング１２２の底から離れ、ずれた位置へと枢動されうる。清掃装置１００’を「吸引モード」から「掃き掃除モード」に戻すためには、ユーザはスリーブ１８を再び把持し、図１８ｂに示す連続的な移動（Ａ’、Ｂ’、Ｃ’）に従いスリーブ１８を移動させうる。第一に、スリーブ１８は、第２のロック位置からＡ’方向にツイストされうる。第二に、スリーブ１８は、ハンドル１６に沿って長手方向の上方へとＢ’方向に移動される。第三に、スリーブ１８は、Ｃ’方向（Ａ’方向とは逆方向）にツイストされ、第１の位置にロックされうる。
【００２７】
[0042]  本明細書において、本考案の多様な実施形態が記載されているが、これらの実施形態は、限定ではなく、例示目的のみに提示されていることを理解されたい。それゆえ、本考案の広さおよび範囲は、記載された実施形態のいずれにも限定されるべきでなく、以下の請求の範囲およびその均等物によってのみ規定されるべきである。
【図１】
0003170819.tif 000003
【図２】
0003170819.tif 000004
【図３】
0003170819.tif 000005
【図４】
0003170819.tif 000006
【図５】
0003170819.tif 000007
【図６】
0003170819.tif 000008
【図７】
0003170819.tif 000009
【図８】
0003170819.tif 000010
【図９】
0003170819.tif 000011
【図１０】
0003170819.tif 000012
【図１１】
0003170819.tif 000013
【図１２】
0003170819.tif 000014
【図１３】
0003170819.tif 000015
【図１４】
0003170819.tif 000016
【図１５】
0003170819.tif 000017
【図１６】
0003170819.tif 000018
【図１７】
0003170819.tif 000019
【図１８Ａ】
0003170819.tif 000020
【図１８Ｂ】
0003170819.tif 000021
【手続補正書】
【提出日】平成23年5月12日(2011.5.12)
【手続補正１】
【補正対象書類名】実用新案登録請求の範囲
【補正対象項目名】全文
【補正方法】変更
【補正の内容】
【実用新案登録請求の範囲】
【請求項１】
清掃装置であって、
ハンドルと、
前記装置のユーザによって第１の位置および第２の位置の間で移動可能な作動機構と、
一端に吸引口を備える中空部材と、
前記吸引口において吸引を発生させるよう構成された電動モータと、
前記中空部材に対して枢動可能な剛毛支持部材であり、取り付けられた複数の剛毛を含む剛毛支持部材と、を備え、
前記剛毛支持部材は、前記作動機構に動作可能に結合され、それにより、前記作動機構が前記第１の位置にあるときは、前記剛毛支持部材は、前記中空部材の前記吸引口に隣接した閉位置にあり、前記複数の剛毛が掃き掃除機能を実行するように位置決めされ、かつ、前記作動機構が前記第２の位置に移動したときは、前記剛毛支持部材は、前記中空部材の前記吸引口から離れるように開位置へと枢動し、前記吸引口への進入路を提供する、
清掃装置。
【請求項２】
フレーム部材をさらに含み、前記中空部材および前記フレーム部材は互いに移動可能に配置され、前記中空部材および前記フレーム部材のうちの１つが前記ハンドルの一端に接続され、前記中空部材および前記フレーム部材のうちの他方が前記作動機構に結合され、それにより、前記作動機構が前記第１の位置にあるとき、前記中空部材は前記フレーム部材に対して後退した位置にあり、かつ、前記作動機構が前記第２の位置にあるとき、前記中空部材は前記フレーム部材に対して伸張した位置にある、請求項１に記載の清掃装置。
【請求項３】
前記ハンドルに対して移動可能であり、かつ第１の端部と第２の端部とを有する連結部材をさらに含み、前記第１の端部が前記作動機構に結合され、前記第２の端部が前記中空部材および前記フレーム部材のうちの前記他方に接続される、請求項２に記載の清掃装置。
【請求項４】
前記ハンドルが中空軸を備え、前記連結部材が前記ハンドル内に移動可能に配置される剛性軸を備える、請求項３に記載の清掃装置。
【請求項５】
前記作動機構が、バイオネット接続によって前記ハンドル上にスライド可能かつ回転可能に配置される把持可能なスリーブを備える、請求項４に記載の清掃装置。
【請求項６】
前記把持可能なスリーブが前記ハンドルの前記中空軸のスロットを介して前記連結部材に接続され、前記把持可能なスリーブが前記第１および第２の位置においてロック可能である、請求項５に記載の清掃装置。
【請求項７】
第１の方向に前記スリーブを回転させること、前記スリーブを前記フレーム部材に向かってまたは前記フレーム部材から離れるように直線的にスライドさせること、および、前記第１の方向とは逆方向の第２の方向に前記スリーブを回転させることによって、前記把持可能なスリーブが、前記第１の位置から前記第２の位置へと移動可能である、請求項６に記載の清掃装置。
【請求項８】
前記フレーム部材に対する前記中空部材の移動が、前記剛毛支持部材を前記閉位置と前記開位置との間で枢動させる、請求項２に記載の清掃装置。
【請求項９】
前記作動機構が前記第１の位置にあり、前記中空部材が前記フレーム部材に対して前記後退した位置にあるとき、前記モータはオフであり、前記作動機構が前記第２の位置に移動し、前記剛毛支持部材が前記開位置に移動したとき、前記モータは自動的にオンになる、請求項２に記載の清掃装置。
【請求項１０】
前記中空部材および前記フレーム部材が互いに対して移動するときに前記モータをオンおよびオフにするために前記中空部材上に配置されたスイッチをさらに含む、請求項２に記載の清掃装置。
【請求項１１】
前記フレーム部材が、ハウジングを備え、前記剛毛支持部材が、前記ハウジングの各側面にある第１の直線スロットを通過する第１のピンによって前記中空部材に枢動可能に結合され、かつ、前記剛毛支持部材が、前記第１のピンからはずれた位置にあり、かつ前記ハウジングの各側面に配置される第２のピンを受ける第２の直線スロットを含み、それにより、前記中空部材が前記後退した位置から前記伸張した位置に移動するとき、前記第２のピンが前記第２の直線スロット内をスライドすると、前記剛毛支持部材は前記第１のピンを中心とし枢動する、請求項２に記載の清掃装置。
【請求項１２】
前記剛毛支持部材に移動可能に装着される着脱可能ベース部材をさらに含み、前記着脱可能ベース部材は、前記複数の剛毛が永久的に取り付けられた本体を含む、請求項１に記載の清掃装置。
【請求項１３】
前記剛毛支持部材に脱着可能に装着されるよう構成され、かつ複数の追加的な剛毛が永久的に取り付けられた本体を含む追加的な着脱可能ベース部材をさらに含み、前記追加的な着脱可能ベース部材が、前記着脱可能ベース部材と交換されるように構成され、かつ、前記複数の追加的な剛毛が前記複数の剛毛とは構造的に異なる、請求項１２に記載の清掃装置。
【請求項１４】
前記中空部材が、前記モータにより前記吸引口を介して吸引されたごみを含むよう構成された内部コンパートメントを画定し、かつ、前記中空部材の壁が前記内部コンパートメントへの進入路を提供するヒンジ付きのパネルを備える、請求項１に記載の清掃装置。
【請求項１５】
前記内部コンパートメント内に配置された、取り外し可能なフィルター要素をさらに備える、請求項１４に記載の清掃装置。
【請求項１６】
前記作動機構は前記ハンドルに配置される、請求項１に記載の清掃装置。
【請求項１７】
前記作動装置が、バイオネット接続により前記ハンドルにスライド可能かつ回転可能に配置された把持可能なスリーブを備える、請求項１に記載の清掃装置。
【請求項１８】
前記吸引口に隣接する前記中空部材の壁に取り付けられた可撓性素材のストリップをさらに備え、前記可撓性素材のストリップが清掃されるべき表面上のごみを前記吸引口に向かって誘導するよう成形される、請求項１に記載の清掃装置。
【請求項１９】
清掃装置であって、
ハンドルと、
前記装置のユーザによって第１の位置および第２の位置の間で移動可能な作動機構と、
フレーム部材と、
前記フレーム部材に対して移動可能に配置された中空部材であり、一端において画定される吸引口を備える中空部材と、
前記吸引口において吸引を発生させるよう構成された電動モータと、
前記中空部材に対して枢動可能な剛毛支持部材であり、取り付けられた複数の剛毛を含む剛毛支持部材と、を備え、
前記中空部材および前記フレーム部材のうちの１つが前記ハンドルの一端に接続され、前記中空部材および前記フレーム部材のうちの他方が前記作動機構に結合され、それにより、前記作動機構が前記第１の位置にあるときは、前記中空部材は、前記フレーム部材に対して後退した位置にあり、かつ、前記作動機構が前記第２の位置にあるときは、前記中空部材は前記フレーム部材に対して伸張した位置にあり、
前記作動機構が前記第１の位置にあるときは、前記剛毛支持部材は前記中空部材の前記吸引口に隣接した閉位置にあり、前記複数の剛毛は掃き掃除機能を実行するように位置決めされ、かつ、前記作動機構が前記第２の位置に移動したときは、前記剛毛支持部材は、前記中空部材の前記吸引口から離れるように開位置へと枢動し、前記吸引口への進入路を提供する、
清掃装置。
【請求項２０】
表面上のごみを掃くための手段と、
前記表面からごみを取り除くため吸引を発生させるための手段と、
前記表面から取り除かれたごみを受け取りかつ保持するための手段と、
前記吸引発生手段に前記表面からごみを取り除かせるために、前記掃き手段の少なくとも一部を、前記受け取りおよび保持手段に対して枢動させるための手段と、
前記枢動手段および前記吸引発生手段を作動させるための手段と、を備える、
清掃装置。
【請求項２１】
前記作動機構が前記第１の位置にあるときは、前記剛毛支持部材は、前記中空部材の前記吸引口を閉じる閉位置にある、請求項１に記載の清掃装置。
【請求項２２】
前記作動機構が前記第１の位置にあるときは、前記剛毛支持部材は、前記中空部材の前記吸引口を閉じる閉位置にある、請求項１９に記載の清掃装置。